(57)【特許請求の範囲】
【請求項１】
正規のベルトの故障時に応急的に使用する補修用歯付きベルトであって、歯付きプーリに巻き掛けた状態で相互に接続すべき連結端部を具備し、前記連結端部は歯欠け領域を有すると共に、前記連結端部の双方には長環状の金具を複数個その接続端が露出する態様で埋設し、双方の連結端部は長環状の金具にピンを挿通することにより接合するようにしたことを特徴とする補修用歯付きベルト。
【発明の詳細な説明】
【０００１】
【発明の属する技術分野】
この発明は、例えば工場のラインなどの補修用歯付きベルトに関するものである。
【０００２】
【従来の技術】
従来より、工場の製造ラインや搬送ラインその他で歯付きベルトが活用されているが、ラインの稼働中に前記ベルトの断裂などの故障が突発的に発生することがある。
【０００３】
ところで、故障した歯付きベルトを交換する為、前記ベルトが装着された機械のプーリ相互間を若干接近させ、新品のベルトをかけ渡せるように調整する必要がある。
【０００４】
しかし、この交換作業は機械を或る程度分解する必要があって非常に手間がかかり長時間を要するが、この間ラインはストップし商品生産は止まったままになってしまうという問題があった。
【０００５】
【発明が解決しようとする課題】
そこでこの発明は、従来よりもライン等の停止時間を短縮することが可能な補修用歯付きベルトを提供しようとするものである。
【０００６】
【課題を解決するための手段】
前記課題を解決するためこの発明では次のような技術的手段を講じている。
【０００７】
この発明の補修用歯付きベルトは、正規のベルトの故障時に応急的に使用する補修用歯付きベルトであって、歯付きプーリに巻き掛けた状態で相互に接続すべき連結端部を具備し、前記連結端部は歯欠け領域を有すると共に、前記連結端部の双方には長環状の金具を複数個その接続端が露出する態様で埋設し、双方の連結端部は長環状の金具にピンを挿通することにより接合するようにしたことを特徴とする。
【０００８】
この補修用歯付きベルトでは、歯付きプーリに巻き掛けた状態で相互に接続すべき連結端部を具備するので、補修時に特に機械の歯付きプーリ相互間を接近させる必要はない。
【０００９】
【発明の実施の形態】
以下、この発明の実施の形態を図面を参照して説明する。
【００１０】
（実施形態１）
図１乃至図９に示すように、この実施形態の補修用歯付きベルト１は、正規のベルトの故障時に応急的に使用するものである。元々の正規の歯付きベルトは、軽負荷伝動の商品搬送用に使用するものである。
【００１１】
この補修用のベルトは、補修時に歯付きプーリ２に巻き掛けた状態で、相互に接続すべき連結端部３を具備せしめている。前記連結端部３の双方には、長環状の金具４を複数個その接続端が露出する態様で埋設している。そして双方の連結端部３は、長環状の金具４に金属製のピン５を挿通することにより接合するようにしている（図８及び図９に図１乃至図７とは異なった形態のピンを示す）。
【００１２】
図６及び図７に示すように、金属製のピン５には樹脂コーティング６しており、これにより金属部分７の摩耗を抑制するようにしている。なおピンのコーティング樹脂６には、長環状の金具の埋設ピッチに合わせて凹凸を設けておいてもよい（図示せず）。
【００１３】
図３に示すように、前記連結端部３は歯欠け領域８を有する。そして連結端部３には、ピン５によって接合した後に保護布９（図３、４参照、図１、２、６〜９は図示省略）を接着して長環状の金具４やピン５を被覆するようにいる。この保護布９として、帆布や樹脂シートなどを利用することができる。図４では保護布９がベルト１の表面側に配された状態を図示しているが、背面側に配設してもよく両方に配設してもよい。
【００１４】
また図３及び図４に示すように、保護布９は長環状の金具４の外方側に配置させている。この保護布９には、長環状の金具４とピン５を摩耗から保護し異音の発生を防止する作用がある。
【００１５】
なお図５に示すように、保護布９を長環状の金具４の内方側、すなわちベルト１自体の表裏両面に直接固着した態様としてもよい。この場合、保護布９には長環状の金具４が挿入されるベルト１を補強する作用がある。保護布９は長環状の金具４の内方側と外方側の双方に配してもよい。
【００１６】
図１に示すように、以上のような態様で前記連結端部３を相互に接続した後、ベルト張力を発生させるためにその背面の２箇所をロール10で押圧するようにしている。ところで連結端部３の破断強度は、応急的な使用の際の負荷発生時の張り側の張力以上は保持するように設定した。
【００１７】
なおこの実施形態では連結端部３を１箇所としたが、機械回りの状況によって２箇所以上に連結端部３を形成した方がやり易いこともあるので、状況によってはこのように形成してもよい。
【００１８】
次に、この実施形態の補修用歯付きベルトの使用状態を説明する。
【００１９】
この補修用歯付きベルト１では、歯付きプーリ２に巻き掛けた状態で相互に接続すべき連結端部３を具備するので、補修時に特に機械の歯付きプーリ２相互間を接近させる必要はなく、従来よりもライン等の停止時間を短縮することが可能であるという利点がある。すなわち故障が発生したときには、手際よく簡単に短時間で補修用歯付きベルト１に交換することができるので、操業時の製品生産停止を最小限に抑えることができる。
【００２０】
そして正規の歯付きベルトは、工場が休みの際などラインが停止している時に機械を分解して正式に交換するとよく、次回の操業時には正規の歯付きベルトでラインを動かすことができる。
【００２１】
また、歯付きプーリ２に対して過不足なく巻き掛けることができ応急的な使用に際して支障はない。すなわち、歯付きベルトの実際の歯部とのずれが多少存在したとしても、接合した部分の箇所を含む全体的な伸び方によってずれを吸収することができる。
【００２２】
さらに図１に示すように、前記連結端部３を相互に接続した後、ベルト張力を発生させるためにその背面をロール10で押圧するようにしており、ベルト長さが少し長めになるように設定しておくことができるので、補修時に歯付きプーリ２に巻き掛けた状態で少しベルト長さに余裕ができ、連結端部３を相互に接続する作業がし易いという利点がある。
【００２３】
（実施形態２）
次に、実施形態２を上記実施形態との相違点を中心に説明する。
【００２４】
図１０に示すように、この実施形態では、対応する歯型が形成された引き寄せ用のクランプ金型の治具12により連結端部３を相互を近づけた状態で接続の作業を行うようにしている。
【００２５】
すなわち、双方の連結端部３を上下からクランプ13で固定し、これらクランプ相互のセンターを出した状態で螺合手段14を締め上げていくことにより、連結端部３を相互を近づけていくようにしている。こうすると、補修用歯付きベルト１は弾性的に伸長した状態となってくる。
【００２６】
連結端部３の双方の長環状の金具４がオーバーラップした状態でピン５を挿通し、螺合手段14の締め上げを解除していくことにより、伸長していた補修用歯付きベルト１は弾性的に復元していき、最終的に治具12を取り去ると連結端部３相互が接続された状態となる。なお図示したものの螺合手段14は蝶ネジ15であるが、六角ネジとしてもよい。
【００２７】
この実施形態では、対応する歯型が形成されたクランプ金型の治具12により連結端部３を相互を近づけた状態で接続の作業を行うようにしており、補修時に連結端部３の接続が完了した時点で張力が発生するので、使用時にその背面をわざわざロール10で押圧する必要はないという利点がある。
【００２８】
【発明の効果】
この発明は上述のような構成であり、次の効果を有する。
【００２９】
補修時に特に機械の歯付きプーリ相互間を接近させる必要はないので、従来よりもライン等の停止時間を短縮することが可能な補修用歯付きベルトを提供することができる。
【図面の簡単な説明】
【図１】  この発明の補修用歯付きベルトの実施形態１の使用状態を説明する側面図。
【図２】  図１の補修用歯付きベルトの歯付きプーリの近傍を説明する要部拡大図。
【図３】  図１の補修用歯付きベルトの連結端部の近傍を説明する要部拡大図。
【図４】  図３の保護布の近傍を説明する要部拡大図。
【図５】  図４の保護布の近傍とは別の実施態様を説明する要部拡大図。
【図６】  図１の補修用歯付きベルトの連結端部の接合前の状態を説明する要部拡大斜視図。
【図７】  図１の補修用歯付きベルトの連結端部の接合後の状態を説明する要部拡大斜視図。
【図８】  図１の補修用歯付きベルトの連結端部の近傍（背面側）を説明する要部拡大平面図。
【図９】  図１の補修用歯付きベルトの連結端部の近傍を（歯面側）説明する要部拡大底面図。
【図１０】  この発明の補修用歯付きベルトの実施形態２の連結端部の近傍を説明する要部拡大斜視図。
【符号の説明】
１  補修用歯付きベルト
２  歯付きプーリ
３  連結端部
８  歯欠け領域
10  ロール
12  治具
【図１】
0003763014.tif 000002
【図２】
0003763014.tif 000003
【図３】
0003763014.tif 000004
【図４】
0003763014.tif 000005
【図５】
0003763014.tif 000006
【図６】
0003763014.tif 000007
【図７】
0003763014.tif 000008
【図８】
0003763014.tif 000009
【図９】
0003763014.tif 000010
【図１０】
0003763014.tif 000011